(57)【要約】【課題】映像および音声の記録中に記録を中断することなく記録媒体の交換を可能にする。【解決手段】取出可能な記録メディア６１０を装着可能とし、記録メディア６１０の残量を残量管理手段６００で検出する。記録残量が少なくなった場合には、ディジタルデータの記録先を記録メディア６１０から、内蔵メモリ３００に変更し記録を続け、記録メディア６１０の交換通知を、表示手段４００を介し操作者に行う。これにより、記録メディア６１０の交換を可能にし、記録メディア６１０が交換されると記録先を内蔵メモリ３００から交換された記録メディア６１０に切替えることで記録動作を中断せずに記録メディア６１０の交換を可能にする。【選択図】図１
2005209256.tif 000002
【特許請求の範囲】
【請求項１】
映像及び／又は音声のデータを記録する記録装置において、
機器に内蔵される内蔵記録媒体と、
取出可能な記録媒体を装着する装着手段と、
前記装着手段に装着された取出可能な記録媒体又は前記内蔵記録媒体にデータの記録を行う記録手段と、
操作者に情報を通知する表示手段と、
前記装着手段に装着された記録媒体の記録可能残量を管理する残量管理手段と、
前記残量管理手段が供給する残量データをもとに前記装着手段に装着された記録媒体の交換が必要となった場合には、前記表示手段にメディアの交換通知を行うとともに、前記記録手段を制御して、データの記録を前記装着手段に装着された記録媒体から前記内蔵記録媒体に切替え、前記装着手段から記録媒体の交換完了通知が供給されると、データの記録を前記内蔵記録媒体から前記装着手段に装着された記録媒体に切替える記録制御手段とを備えた記録装置。
【請求項２】
前記記録手段は、データの記録を前記内蔵記録媒体から前記装着手段に装着された記録媒体に切替えて記録する場合に、前記内蔵記録媒体に記録されたデータを前記装着手段に装着された取出可能な記録媒体に記録することを特徴とする請求項１記載の記録装置。
【請求項３】
前記記録手段は、前記記録制御手段から記録先の切替え指令が供給されると、他の記録媒体に継続して記録が行われたことを示す記録継続情報を取出可能な記録媒体に記録することを特徴とする請求項１記載の記録装置。
【発明の詳細な説明】
【技術分野】
【０００１】
本発明は、記録中に記録を中断することなく記録媒体の交換が可能な記録装置に関するものである。
【背景技術】
【０００２】
近年、映像や音声をディジタルデータに変換し、磁気ディスクや光ディスク、あるいは半導体メモリ等の記録媒体に記録し、再生する装置が開発されている。このような装置として、ムービーや音声録音装置などがあるが、これらの装置ではディジタルデータ化された映像や音声がデータファイルとして記録媒体に記録される。
【０００３】
このような装置では、記録中に記録媒体の記録残量が残り少なくなった場合には、記録を一端停止し、記録媒体を交換する必要があるが、あらかじめ複数の記録媒体を装着できるようにしておけば、記録中の記録媒体の記録残量が少なくなった場合でも記録を中断することなく、他の記録媒体に継続して記録することが可能となる。
【０００４】
従来、このような装置としては、特許文献１に記載されているようなものがあった。図５は、特許文献１に記載された従来のドライブ装置を示すものである。
【０００５】
図５において、選択手段２０は装着手段１０に装着されている複数の記録媒体のうちから１つの記録媒体を選択し、アクセス手段３０がデータの書込み又は読出が行えるようにする。制御手段４０は装着手段１０に複数の記録媒体が装着されているときに、選択手段２０の選択状態及びアクセス手段３０のアクセス動作を制御することで、装着されている複数の記録媒体を対象とする連続した書込みまたは読出を実行させる。
【０００６】
このようにして、記録中の記録媒体の記録残量が少なくなった場合でも記録を中断することなく複数の記録媒体を使って連続した記録を実現していた。
【特許文献１】特開２０００−２５９７８３号公報
【発明の開示】
【発明が解決しようとする課題】
【０００７】
しかしながら、前記従来の構成ではあらかじめ複数の記録媒体を装着する必要があり、小型軽量化が重要である携帯機器に適応する場合には、１つの記録媒体のみが装着可能な装置と比較すると、装置の大きさや重量が大きくなるという課題を有していた。
【０００８】
また、前記従来の構成では、構成上記録媒体が半導体メモリに限定されていた。
【０００９】
本発明は、前記従来の課題を解決するもので、小型軽量化を保ったままで、記録中の記録媒体の残量が残り少なくなった場合でも継続して記録を行うことが可能な記録装置を提供することを目的とする。
【課題を解決するための手段】
【００１０】
前記従来の課題を解決するために本発明の記録装置は、取出可能な記録媒体を装着可能とし、取出可能な記録媒体の残量を検出し、記録残量が少なくなった場合には、ディジタルデータの記録先を取出可能な記録媒体から内蔵する記録媒体に変更して記録を続け、取出可能な記録媒体の交換通知を操作者に行うことで、記録媒体の交換を可能とし、記録媒体が交換されると記録先を内蔵する記録媒体から交換された記録媒体に切替えて継続して記録を続けることができる。
【発明の効果】
【００１１】
本発明の記録装置は、内蔵する記録媒体と取出可能な記録媒体を使って記録を行い、取出可能な記録媒体の記録残量が少なくなった場合には内蔵する記録媒体に記録を切替えて、内蔵する記録媒体に記録中に取出可能な記録媒体を交換し、交換後は交換時に内蔵する記録媒体に記録されたデータも含めて交換された記録媒体に記録が行われるので、取出可能な記録媒体が１つのみ装着可能であっても、記録媒体の残量が残り少なくなった場合でも継続して記録を続けることが可能となる。
【発明を実施するための最良の形態】
【００１２】
請求項１に記載の発明は、映像及び／又は音声のデータを記録する記録装置において、機器に内蔵される内蔵記録媒体と、取出可能な記録媒体を装着する装着手段と、前記装着手段に装着された取出可能な記録媒体又は前記内蔵記録媒体にデータの記録を行う記録手段と、操作者に情報を通知する表示手段と、前記装着手段に装着された記録媒体の記録可能残量を管理する残量管理手段と、前記残量管理手段が供給する残量データをもとに前記装着手段に装着された記録媒体の交換が必要となった場合には、前記表示手段にメディアの交換通知を行うとともに、前記記録手段を制御して、データの記録を前記装着手段に装着された記録媒体から前記内蔵記録媒体に切替え、前記装着手段から記録媒体の交換完了通知が供給されると、データの記録を前記内蔵記録媒体から前記装着手段に装着された記録媒体に切替える記録制御手段とを備えるものである。
【００１３】
また、請求項２に記載の発明は、請求項１に係る発明において、前記記録手段は、データの記録を前記内蔵記録媒体から前記装着手段に装着された記録媒体に切替えて記録する場合に、前記内蔵記録媒体に記録されたデータを前記装着手段に装着された取出可能な記録媒体に記録することを特徴とする。
【００１４】
また、請求項３に記載の発明は、請求項１に係る発明において、前記記録手段は、前記記録制御手段から記録先の切替え指令が供給されると、他の記録媒体に継続して記録が行われたことを示す記録継続情報を取出可能な記録媒体に記録することを特徴とする。
【００１５】
このように本発明は、記録を中断することなく記録媒体の交換を行うという目的を、内蔵記録媒体を設け、着脱する記録媒体と内蔵機録媒体とを切り替え制御することにより、最小限の構成で小型軽量化を損なわずに実現した。
【００１６】
（実施の形態１）
図１は、本発明の実施の形態１による記録装置の構成を示すブロック図である。
【００１７】
図１において、メディアスロット６００は取出可能な記録媒体である記録メディア６１０を装着し、記録メディア６１０へのデータの書込み又は読出しを可能にするものであり、記録手段２００は記録制御手段１００からの指令に応じて、入力手段７００から供給されるディジタル化された映像もしくは音声データを内蔵メモリ３００又は記録メディア６１０に書込む。残量管理手段５００はメディアスロット６００に装着された記録メディア６１０に記録可能な残量を計算し、その残量データを記録制御手段１００に供給する。表示手段４００は操作者に装置の動作情報を表示するためのものである。
【００１８】
以上のように構成された記録装置についてその動作を述べる。
【００１９】
操作者が操作スイッチ８００を操作し、記録動作の開始指示を行うと、操作スイッチ８００から記録開始指令が記録制御手段１００に供給される。記録制御手段１００は、操作スイッチ８００から記録開始指令が供給されると、記録手段２００に記録メディア６１０へのデータ記録を開始させるためにデータ記録開始指令を記録手段２００に供給する。記録手段２００は、データ記録開始指令が供給されると、入力手段７００から供給される映像データ及び音声データをメディアスロット６００に装着されている記録メディア６１０に書込み始める。残量管理手段５００は、メディアスロット６００に装着されている記録メディア６１０の記録可能残量を絶えず監視し、その残量データを定期的に記録制御手段１００に供給する。
【００２０】
記録制御手段１００は、残量管理手段５００から供給される残量データがあらかじめ決められた値よりも小さくなると、記録メディアの交換を行うために記録切替指令を記録手段２００に供給する。記録手段２００は、記録切替指令が供給されると、メディアスロット６００に装着されている記録メディア６１０への書込みを終了し、内蔵メモリ３００に入力手段７００からの続きのデータの記録を開始し、記録先の切替えが完了したことを記録制御手段１００に通知する。記録制御手段１００は、記録先の切替え完了通知が供給されると、表示手段４００から記録メディアの交換表示が表示されるように表示手段４００を制御することで、操作者に記録メディアの交換タイミングを通知する。
【００２１】
操作者がメディアスロット６００に装着されている記録メディアを取出して、新しい記録メディア６１０に交換すると、メディアスロット６００はメディアの交換完了通知を記録制御手段１００に供給する。記録制御手段１００は、記録メディア６１０の交換完了通知が供給されると記録切替指令を記録手段２００に供給する。記録手段２００は、記録切替指令が供給されると、内蔵メモリ３００に一時的に記録していたデータをすべて、メディアスロット６００に装着されている記録メディア６１０に書込むと共に、以降新たに入力手段７００から供給されるデータを記録メディア６１０に書込むようにして、記録データの書込み先を切替える。
【００２２】
以降、操作者が操作スイッチ８００を操作し、記録動作の停止指示が行われるまで、上記の動作が繰り返され、記録メディア６１０の記録残量がなくなると、一時的に内蔵メモリ３００にデータを記録するように記録制御手段１００が記録先を切替え、内蔵メモリ３００への一時的な記録を行っている間に記録メディアの交換が完了すると、再び記録制御手段１００が記録先を切替えて、記録メディアへの記録を継続する。
【００２３】
以上のように記録メディア６１０の残量を残量監視手段５００が監視し、記録メディア６１０の残量がなくなると記録制御手段１００がデータの記録を内蔵メモリ３００に切替えて、記録メディア６１０の交換通知を、表示手段４００を介して行い、記録メディア６１０の交換が完了すると、記録制御手段１００が内蔵メモリに一時的に記録していたデータを交換された新しい記録メディア６１０に記録すると共に、以降のデータ記録を交換された新しい記録メディア６１０に継続して記録を行うように制御する。
【００２４】
その結果、記録中に記録メディアの記録残量がなくなった場合でも、記録を中断することなく、メディアを交換して記録を続けることが可能な記録装置を提供することができる。
【００２５】
なお、以上の説明での記録メディア６１０は、例えば、磁気ディスク、光ディスク、光磁気ディスク、半導体メモリなど、ディジタルデータを記録可能なメディアであればどのようなメディアでも全く同じようにして実現可能であり、得られる効果も同等である。
【００２６】
また、以上の説明では、内蔵記録媒体として、内蔵メモリを用いた場合を説明しているが、内蔵メモリでなくても、小型のハードディスクや光ディスク、光磁気ディスクなど取出せないようにした記録媒体であればどのような記録媒体でも全く同じようにして実現可能であり、得られる効果も同等である。
【００２７】
（実施の形態２）
図２は、本発明の実施の形態２による記録装置の構成を示すブロック図である。
【００２８】
図２において、図１と同じ構成要素については同じ符号を用い、説明を省略する。図１に示した実施の形態１の構成に対して、本実施の形態におけ記録装置は、複数の記録メディアに渡って一連の記録が行われたことを示す情報を作成する継続情報作成手段２１０が追加された点に特徴を有している。
【００２９】
図２で記録制御手段１００は、残量管理手段５００から供給される残量データがあらかじめ決められた値よりも小さくなると、記録メディアの交換を行うために記録切替指令を記録手段２００と継続情報作成手段２１０に供給する。継続情報作成手段２１０は、記録切替指令が供給されると、記録メディア６１０の個別情報を読出し、メディアの交換回数と共に記録継続情報として一時的にこれらの情報を記憶し、個別情報の読出完了通知を記録手段２００に供給する。個別情報とは個々の記録メディアを個別に識別するための情報であり、個々の記録メディアごとに異なるものである。また、記録継続情報とは、一連のデータ記録が複数の記録メディアに別れて記録された場合に各メディアがどういう順番で記録されたかが判別できるようにするための情報である。
【００３０】
記録手段２００は、記録切替指令及び個別情報の読出完了通知が供給されると、メディアスロット６００に装着されている記録メディア６１０への映像および音声データの書込みを終了し、最後に他のメディアに継続して記録が行われることを示す継続情報を記録メディア６１０に書込んだ後に、内蔵メモリ３００に続きのデータの記録を開始し、記録先の切替えが完了したことを記録制御手段１００に通知する。継続情報とは最後に記録したデータが他の記録メディアに継続して記録されていることを示すための情報である。
【００３１】
記録制御手段１００は、記録先の切替え完了通知が供給されると、表示手段４００から記録メディアの交換表示が表示されるように表示手段４００を制御することで、操作者に記録メディアの交換タイミングを通知する。
【００３２】
操作者がメディアスロット６００に装着されている記録メディア６１０を取出して、新しい記録メディア６１０に交換すると、メディアスロット６００はメディアの交換完了通知を記録制御手段１００に供給する。記録制御手段１００はメディアの交換完了通知が供給されると記録切替指令を記録手段２００と継続情報作成手段２１０に供給する。継続情報作成手段２１０は記録切替指令が供給されると、前に記録を行っていた記録メディア６１０の個別情報と継続中の記録データに対して、この記録メディアが何枚目の記録メディアであるかを示した記録継続情報を記録手段２００に供給する。記録手段２００は、記録切替指令及び記録継続情報が供給されると、この記録継続情報と内蔵メモリ３００に一時的に記録していたデータをすべて、メディアスロット６００に装着されている記録メディア６１０に書込むと共に、以降、新たに入力手段７００から供給されるデータを記録メディア６１０に書込むようにして、記録データの書込み先を切替える。
【００３３】
以降、操作者が操作スイッチ８００を操作し、記録動作の停止指示が行われるまで、上記の動作が繰り返され、記録メディア６１０の記録残量がなくなると、一時的に内蔵メモリ３００にデータを記録するように記録制御手段１００が記録先を切替え、内蔵メモリ３００への一時的な記録を行っている間に記録メディアの交換が完了すると、再び記録制御手段１００が記録先を切替えて、記録メディアへの記録を継続する。
【００３４】
図３は、以上の動作を説明するためのフローチャートであり、これを用いて、本発明の記録装置の動作を説明する。
【００３５】
ステップＳ３１０において、操作スイッチ８００により記録が開始されると、メディアの交換回数を示す変数Ｎを１（１つ目）に初期化する。続き、ステップＳ３２０において、記録メディア６１０の個別情報（媒体ＩＤ）を読み出し、変数Ｎと媒体ＩＤを組にしたテーブルを作成する。このテーブルは、継続情報作成手段２１０により生成され、例えば、図４に示すように、変数Ｎ、個別情報（媒体ＩＤ）、記録メディアの継続の状態を示す継続情報から成る。
【００３６】
テーブル作成後、ステップＳ３３０に移行し、記録手段２００によるデータの記録処理が行われる。ここで、データの記録処理は、所定の単位毎に行われるものとする。ステップＳ３４０では、所定タイミング毎に残量管理手段５００で記録メディア６１０の残量が所定量以下かどうかを判断し、残量がまだある場合は、ステップＳ３３０を繰り返す。なお、ステップＳ３３０において、記録処理が終了すれば、ステップＳ３３０において一連の処理が終了するものとする。この時、継続情報として０（継続なし）をテーブルに追記し、そのテーブルを記録メディア６１０に記録して記録処理を終了する。
【００３７】
ステップＳ３４０において、記録メディア６１０の残量が所定量以下となった場合、ステップＳ３５０において、継続情報をテーブルに追加し（１を追記し）、そのテーブルを記録メディア６１０に記録する。そして、ステップＳ３６０で、記録処理を記録メディア６１０から内蔵メモリ３００に切替えて実行する。
【００３８】
ステップＳ３７０において、記録メディア６１０を交換する以前に内蔵メモリ３００が満杯と成ってしまった場合（Ｙｅｓ）は、メディア交換が失敗したとして、記録処理を終了する。まだ、余裕がある場合は、ステップＳ３８０に移行し、新たな記録メディア６１０が装着されたかどうかを検知し、Ｎｏの場合は、ステップＳ３６０、Ｓ３７０を繰り返し、Ｙｅｓの場合は、変数Ｎに１を加えステップＳ３２０に戻る。従って、変数Ｎは、１から２となり、２つめの記録メディア６１０についての処理が行われる。
【００３９】
例えば、３つの記録メディア６１０に連続して記録された場合、図４のようなテーブルが最後の記録メディア６１０に記録される。このテーブルの変数Ｎの値をチェックすることで、何番目に記録されたカードであるかを判断することができる。また、テーブルの媒体ＩＤを見れば、テーブルが記録されていた記録メディア自体、及びその前後の記録メディアの順番を識別することができる。従って、本実施の形態によって、記録された記録メディアを複数装着可能な機器にセットした場合は、各記録メディアのテーブル情報を読み込み変数Ｎが最大のものから、継続関係を簡単に割り出すことが可能となる。
【００４０】
以上のように記録メディアの交換が発生するたびに、交換を行う前の終了する記録メディアに対しては、継続情報作成手段２１０が他のメディアに継続して記録が行われることを示す継続情報を記録メディア６１０に書込んで記録を終了させ、交換が行われた次の記録メディアに対しては、継続情報作成手段２１０が直前に記録を行っていた記録メディアの個別情報とこの新しい記録メディアが何枚目の記録メディアであるかを示す記録継続情報を書込むことで複数の記録メディアに別れて一連の記録が行われた場合でも、どの記録メディアにどの順番で記録されたかが判別できる。
【００４１】
その結果、記録中に記録メディアの記録残量がなくなった場合でも、記録を中断することなく、メディアを交換して記録を続けることが可能で、記録後にどの記録メディアにどの順番で記録されたかが判別可能な記録装置を提供することができる。
【００４２】
なお、図４に示した継続情報や記録継続情報は一例であり、これに限定されるものではなく、同様の作用を発揮する形態で、各種情報を記録、管理、あるいは生成することができることは言うまでもない。
【産業上の利用可能性】
【００４３】
本発明にかかる記録装置は、取出可能な記録媒体を１つしか装着できない記録装置でも、記録中に記録を中断することなく取出可能な記録媒体の交換が可能となり、ムービーや音声録音装置などの携帯型記録装置として有用である。
【図面の簡単な説明】
【００４４】
【図１】本発明の実施の形態１による記録装置の構成を示すブロック図
【図２】同実施の形態２による記録装置の構成を示すブロック図
【図３】同記録装置の動作を示すフローチャート
【図４】同記録装置における継続情報の一例を示す概念図
【図５】従来のドライブ装置の構成を示すブロック図
【符号の説明】
【００４５】
１００    記録制御手段
２００    記録手段
２１０    記録情報作成手段
３００    内蔵メモリ
４００    表示手段
５００    残量管理手段
６００    メディアスロット
６１０    記録メディア
７００    入力手段
８００    操作スイッチ
【図１】
2005209256.tif 000003
【図２】
2005209256.tif 000004
【図３】
2005209256.tif 000005
【図４】
2005209256.tif 000006
【図５】
2005209256.tif 000007